(57)【特許請求の範囲】
【請求項１】
ワイヤ端部について先端の手前に添設配置され、もって該ワイヤ端部に作用する張力を抑制して、ワイヤ引張事故を防止するストッパーであって、
該ストッパーは、該ワイヤ端部が挿通される溝部を備えており、該溝部には、湾曲が形成されており、
該ワイヤ端部に張力が瞬間的に作用すると、該ストッパーの溝部の湾曲と該ワイヤ端部間の接触摩擦により、瞬時にブレーキ力が生成され、もって該ワイヤ端部は、作用する張力が抑制されて該ストッパーに係止ロックされるのに対し、
該ワイヤ端部に張力が瞬間的に作用しない常時は、該ワイヤ端部は、該ストッパーの溝部を自在に抜き差し，通過移動可能となっており、
該ストッパーは、ベースブロック部分と、該ベースブロック部分の外表面側の一対のコーナーブロック部分と、からなっており、
該ベースブロック部分にて該溝部の底が形成され、両該コーナーブロック部分にて該溝部のサイド壁が形成され、
両該コーナーブロック部分は平板状をなしており、一方側の該コーナーブロック部分は、平板状をなす該ベースブロック部分に固定されており、他方側の該コーナーブロック部分は、該ベースブロック部分に軸にて取付けられ、もって該軸を支点として揺動可能となっており、
他方側の該コーナーブロック部分は、揺動により、一方側の該コーナーブロック部分に対し、標準位置と偏在位置とに変位可能であり、該標準位置では、略均等溝幅の該溝部を形成するのに対し、該偏在位置では、広狭不均等溝幅の該溝部を形成すると共に、狭い方で該ワイヤ端部を挟み込み係止ロック可能となっており、
該標準位置への位置決め手段が、他方側の該コーナーブロック部分と該ベースブロック部分間に設けられていること、を特徴とするワイヤストッパー。
【発明の詳細な説明】
【技術分野】
【０００１】
本発明は、ワイヤストッパーに関する。例えば、ケーブル引張事故を防止するケーブルストッパー、その他のワイヤ引張事故を防止するワイヤストッパーに関するものである。
【背景技術】
【０００２】
《技術的背景》
例えば各種機器には、ケーブルがコネクタにて接続されているが、このように接続されたケーブルの端部については、何らかの事情により不意に過大な外力が加わって引張られ、もって瞬間的に張力が作用することがある。
そして、このような張力に基づき、ケーブル引張事故が発生することが多々あり、問題となっていた。
例えば、先端のコネクタ部分が破損，抜け落ち，脱落等する事故を始め、これに伴い、電源ケーブル脱落による電源喪失事故や、通信ケーブル脱落による通信中断事故や、機器側コネクタ近辺のシャーシ等の破損，損傷事故、更には、高価な機器自体の破損，損傷，故障事故、等々のケーブル引張事故が発生する、という問題が指摘されていた。
例えば、電話回線やＬＡＮに多用されているモジュラージャックや、光ファイバーに使用されているコネクタ（ＳＣ，ＬＣ）等は、耐力の低い樹脂製のものも多く、破損，抜け落ち，脱落等の事故発生が、多々報告されている。
【０００３】
《従来技術》
このようなケーブル引張事故対策としては、従来、例えば次のような対処方法が採用されていた。
まず、図５の（１）図に示したように、ケーブルクランプ１が使用されていた。すなわち、ケーブルＡの端部Ｂや途中の要所要所を、ケーブルクランプ１に挿通，保持すると共に、ケーブルクランプ１が、機器のシャーシ等にネジ止め固定されていた。
又、図５の（２）図に示したように、結束バンド２も使用されていた。すなわち、ケーブルＡの端部Ｂや途中の要所を、結束バンド２に挿通，保持すると共に、結束バンド２が、取付部材３を介し機器のシャーシ等に、ネジ止め固定や溶接固定されていた。
更に、ロック付の頑丈な金属製コネクタを、使用することも行われていた。例えば、ケーブル側の金属製コネクタと機器側の金属製コネクタについて、対応する雄ネジと雌ネジを螺刻し、もって両者間が螺着接続されていた。
又、機器側，受側のコネクタに、抜け防止手段を付設したものも使用されていた。例えば、ケーブル側のコネクタの接続後、機器側のコネクタに付設された抜け防止手段を、ロック位置へと回動操作し、もって両者間が固定接続されていた。
【発明の概要】
【発明が解決しようとする課題】
【０００４】
《問題点》
ところで、このような従来技術については、使用上，操作上，作業上，構造上等の難点が指摘されていた。
すなわち、ケーブルクランプ１や結束バンド２を使用する従来技術については、ケーブル端部Ｂの取付け取外し操作，抜き差し操作が容易でなく、面倒で手間がかかり煩わしい、という問題が指摘されていた。
更に、ケーブルクランプ１や結束バンド２のネジ止め固定作業，溶接固定作業も、面倒で手間がかかる、との指摘もあった。
又、ロック付コネクタや抜け防止手段付コネクタについても、ケーブル端部Ｂの取付け取外し操作，抜き差し操作が面倒であり、手間がかかり煩わしい、という問題が指摘されていた。
更に、コネクタに螺刻されたネジや、コネクタに付設された抜け防止手段等が、使用に伴い故障，損傷し易い、という指摘もあった。
【０００５】
《本発明について》
本発明のワイヤストッパーは、このような実情に鑑み、上記従来技術の課題を解決すべくなされたものである。
そして本発明は、第１に、ケーブルその他のワイヤ引張事故が、防止されると共に、第２に、構成が簡単であり、第３に、操作も容易であり、第４に、しかも各種ワイヤに広く適用可能な、ワイヤストッパーを提案することを目的とする。
【課題を解決するための手段】
【０００６】
《請求項について》
このような課題を解決する本発明の技術的手段は、特許請求の範囲の請求項１に記載したように、次のとおりである。
本発明のワイヤストッパーは、ワイヤ端部について先端の手前に添設配置され、もって該ワイヤ端部に作用する張力を抑制して、ワイヤ引張事故を防止する。
該ストッパーは、該ワイヤ端部が挿通される溝部を備えており、該溝部には、湾曲が形成されている。
【０００７】
そして、該ワイヤ端部に張力が瞬間的に作用すると、該ストッパーの溝部の湾曲と該ワイヤ端部間の接触摩擦により、瞬時にブレーキ力が生成され、もって該ワイヤ端部は、作用する張力が抑制されて該ストッパーに係止ロックされる。
これに対し、該ワイヤ端部に張力が瞬間的に作用しない常時は、該ワイヤ端部は、該ストッパーの溝部を自在に抜き差し，通過移動可能となっている。
【０００８】
該ストッパーは、ベースブロック部分と、該ベースブロック部分の外表面側の一対のコーナーブロック部分と、からなっている。
そして、該ベースブロック部分にて該溝部の底が形成され、両該コーナーブロック部分にて該溝部のサイド壁が形成される。
両該コーナーブロック部分は平板状をなしている。そして、一方側の該コーナーブロック部分は、平板状をなす該ベースブロック部分に固定されている。他方側の該コーナーブロック部分は、該ベースブロック部分に軸にて取付けられ、もって該軸を支点として揺動可能となっている。
もって、他方側の該コーナーブロック部分は、揺動により、一方側の該コーナーブロック部分に対し、標準位置と偏在位置とに変位可能である。該標準位置では、略均等幅の該溝部を形成するのに対し、該偏在位置では、広狭不均等幅の該溝部を形成すると共に、狭い方で、該ワイヤ端部を挟み込み係止ロック可能となっている。
そして、該標準位置への位置決め手段が、他方側の該コーナーブロック部分と該ベースブロック部分間に設けられていること、を特徴とする。
【０００９】
《作用等について》
本発明は、このような手段よりなるので、次のようになる。
（１）ストッパーは、溝部にワイヤ端部を挿通させることにより、ワイヤ端部に添設配置される。
（２）ストッパーは、ベースブロック部分と、一対のコーナーブロック部分とから、構成される。そして、他方側のコーナーブロック部分が揺動可能なので、位置決め手段にて、溝部の溝幅を略均等幅に位置決めしておくと、上述した挿通がスムーズ化する。
（３）さて、ストッパーの溝部内に挿通されたワイヤ端部は、瞬間的張力が作用しない常時では、溝部内を自在に抜き差し，通過可能である。
（４）これに対し、ワイヤに過大な外力が加わり、ワイヤ端部に瞬間的張力が作用すると、ワイヤ端部は、ストッパーの溝部の湾曲に接触すると共に強力に押し付けられ、もって大きな摩擦力が生じ、ブレーキ力が瞬時に生成される。これに加え、ワイヤ端部を溝部入口側で挟み込むようになっているので、一段と強力なブレーキ力が生成される。
（５）このようにして、ワイヤ端部がストッパーにて係止ロックされるので、ワイヤ引張事故は防止される。
（６）なお、ワイヤ端部が先端手前にループ等の余剰部分を備えている場合は、その繰り出し事故も防止される。
（７）ところで、このストッパーは、湾曲が形成された溝部を備えた基本構成よりなり、構成が簡単である。
（８）又、このストッパーは、溝部にワイヤ端部を挿通させるだけで取付操作が完了し、取外し操作も溝部から挿脱させるだけでよい等、操作が容易である。
（９）更に、このストッパーは、使用対象となるワイヤ端部の径に見合った溝幅と溝深さを備えた溝部を、湾曲付で用意するだけで、各種のワイヤ端部に使用可能である。もって、ケーブル端部を始め、広く各種のワイヤ端部に適用可能である。
（１０）さてそこで、本発明のワイヤストッパーは、次の効果を発揮する。
【発明の効果】
【００１０】
《第１の効果》
第１に、ケーブルその他のワイヤ引張事故が、防止される。すなわち、本発明のワイヤストッパーでは、ケーブル端部等のワイヤ端部に瞬間的張力が作用すると、瞬時にブレーキ力が生成されて、ワイヤ端部が係止ロックされる。
そこで、ワイヤ引張事故が未然に防止される。機器等に接続されたケーブルにあっては、ケーブル引張事故が防止される。
例えばケーブルについて、コネクタ部分が破損，抜け落ち，脱落等する事故や、これに伴う、電源ケーブル脱落による電源喪失事故や、通信ケーブル脱落による通信中断事故や、機器側コネクタ近辺のシャーシ等の破損，損傷事故、更には、高価な機器自体の破損，損傷，故障事故、等々のケーブル引張事故が防止される。
過大な張力が加わった場合、ケーブルが破断することはあっても、ケーブル引張事故は防止される。又、従来多発していた電話回線やＬＡＮのモジュラージャックの破損事故や、光ファイバーコネクタ（ＳＣ，ＬＣ）の破損，抜け落ち，脱落等のケーブル引張事故も防止される。
更に、ケーブル引張事故等のワイヤ引張事故の一環として、余剰繰り出し事故も防止される。すなわち、ケーブル端部その他のワイヤ端部が、先端の手前にループや束ね等の余剰部分を備えている場合は、ワイヤストッパーによる係止ロックに基づき、余剰部分が繰り出されてしまう事故も防止される。
【００１１】
《第２の効果》
第２に、構成が簡単であり、コスト面に優れると共に故障等の虞もない。すなわち、本発明のワイヤストッパーは、湾曲が形成された溝部を備えた基本構成、そして、ベースブロック部分と一対のコーナーブロック部分とを、備えた構成よりなる。更には、他方のコーナーブロック部分をベースブロック部分に、位置決め手段付で軸にて取付けた構成よりなる。
このように、このワイヤストッパーは、構成が簡単である。ネジ，スプリング，電源等を使用する訳でもなく、複雑な構成を要することもない。
もって、製造コストが安価であると共に、使用に際しても故障や損傷の虞もない。例えば、前述したこの種従来技術のロック付コネクタ，抜け防止手段付コネクタのように、使用に伴い故障や損傷が多発するようなこともない。
更に、小型化，コンパクト化が容易であり、例えばハンディカメラ，ショルダーカメラ，その他の携帯用機器にも、邪魔にならず付設使用可能である。
【００１２】
《第３の効果》
第３に、操作も容易である。すなわち、本発明のワイヤストッパーは、上述したように構成が簡単であり、溝部にワイヤ端部を挿通するだけで取付け操作が完了し、取外し操作もケーブル端部を挿脱するだけでよい。
特にストッパーは、ベースブロック部分と一対のコーナーブロック部分とから構成されており、他方側のコーナーブロック部分が揺動可能なので、位置決め手段にて、溝部の溝幅を略均等幅に位置決めしておくと、上述した挿通がスムーズ化する。
このように、使用に際して操作が容易であり、ワイヤ端部を簡単に抜き差し可能である。前述したこの種従来技術、例えばケーブルクランプ，結束バンド，ロック付コネクタ，抜け防止手段付コネクタ等々に比し、取付け取外し操作，抜き差し操作が、簡単容易であり、面倒な手間を要すこともなく、煩わしさは軽減される。
【００１３】
《第４の効果》
第４に、しかも各種ワイヤに広く適用可能である。すなわち、本発明のワイヤストッパーは、使用対象となるワイヤに見合った溝部を採用することにより、ワイヤの種類を問わず、広く各種ワイヤに適用可能である。例えば、ケーブルその他の電線，金属線，針金，ロープ，縄，紐，その他各種のワイヤを、使用対象とすることができる。
このように、この種従来技術に存した課題がすべて解決される等、本発明の発揮する効果は、顕著にして大なるものがある。
【図面の簡単な説明】
【００１４】
【図１】本発明に係るワイヤストッパーについて、発明を実施するための形態の説明に供し、（１）図，（２）図は斜視図である。  そして（１）図は、ケーブルが挿入されていない状態を示し、（２）図は、ケーブルが挿入されている状態を示す。（３）図は、本発明には属さない参考例を示し、ケーブルが挿入されている状態を示す。
【図２】同発明を実施するための形態の説明に供し、（１）図，（２）図は斜視図であり、ケーブルが挿入されていない状態を示す。そして（１）図は、コーナーブロックが標準位置にある場合、（２）図は、偏在位置にある場合を示す。  （３）図，（４）図は平面図であり、ケーブルが挿入されている状態を示す。そして（３）図は、コーナーブロックが標準位置にある場合、（４）図は、偏在位置にある場合を示す。
【図３】同発明を実施するための形態の説明に供し、標準位置への位置決め手段を備えた実施例を示す。そして、（１）図，（２）図は、位置決め実施状態を示し、（１）図は、要部の横断面図、（２）図は、要部の縦断面図である。又、（３）図，（４）図は、位置決め解除状態を示し、（３）図は、要部の横断面図、（４）図は、要部の縦断面図である。
【図４】同発明を実施するための形態の説明に供し、他の例を示し、（１）図は、他の例（その１）の側面説明図、（２）図は、他の例（その２）の正面説明図である。
【図５】この種従来例の説明に供し、（１）図はケーブルクランプ、（２）図は結束バンドを示す。
【発明を実施するための形態】
【００１５】
以下、本発明を実施するための形態について、詳細に説明する。
《本発明の要部》
まず、本発明のワイヤストッパー４（以下単にストッパー４という）について、図１，図２を参照して、その要部を説明する。
このストッパー４は、ケーブルＡのケーブル端部Ｂ、その他のワイヤＣのワイヤ端部Ｄについて、先端Ｅの手前に添設配置される。もって、ワイヤ端部Ｄに作用する張力を抑制して、ワイヤ引張事故を防止する。
そしてストッパー４は、ワイヤ端部Ｄが挿通される溝部５を備えており、溝部５には、湾曲６が形成されている。
そこで、ワイヤ端部Ｄに張力が瞬間的に作用すると、ストッパー４の溝部５の湾曲６とワイヤ端部Ｄ間の接触摩擦により、瞬時にブレーキ力が生成される。もってワイヤ端部Ｄは、作用する張力が抑制されて、ストッパー４に係止ロックされる。
これに対し、ワイヤ端部Ｄに張力が瞬間的に作用しない常時は、ワイヤ端部Ｄは、ストッパー４の溝部５を自在に抜き差し，通過移動可能となっている。
本発明の要部については、以上のとおり。以下、本発明について更に詳述する。
【００１６】
《ワイヤＣについて》
まず図１，図２を参照して、本発明のストッパー４の使用対象であるワイヤＣについて、説明する。
図示のワイヤＣは、光ファイバーケーブルを始め、その他各種の通信ケーブルや電力ケーブル、等々のケーブルＡよりなる。そして、そのケーブル端部Ｂの先端Ｅに、コネクタＦが設けられ、もって機器（図示せず）側のコネクタに接続されている。
しかし、本発明が使用対象とするワイヤＣは、図示のケーブルＡに限定されるものではなく、その他各種のワイヤＣについても使用可能である。例えば、ケーブルＡ以外の電線を始め、金属線，針金，金属製ロープ，麻製ロープ，その他の材質のロープ，更には縄，紐等も、本明細書においては、ワイヤＣの用語に包含される。
以下、図示例に基づき、ケーブルＡそしてケーブル端部Ｂを、使用対象として説明するが、勿論、その他の各種ワイヤＣそしてワイヤ端部Ｄも、同様に使用対象となり、同様に適用される。
ワイヤＣについては、以上のとおり。
【００１７】
《溝部５について》
次に図１，図２を参照して、ストッパー４の溝部５について、説明する。ストッパー４は、ケーブル端部Ｂを挿通する溝部５を備えており、溝部５には、アール状カーブつまり湾曲６が、形成されている。
図示例の湾曲６は略Ｓ字状をなし、溝部５について全体的に形成されているが、溝部５の形状や湾曲６の形成箇所については、このような図示例以外にも、各種可能である。
例えば、略Ｕ字状，Ｖ字状，Ｗ字状，凹凸状（クランク状），三角波状（ジグザク山切り状）、等々の溝部５形状が可能である。又、湾曲６についても、溝部５全体について形成されるケースと共に、方向転換点のみに部分的に形成されるケースも考えられる。
又、湾曲６は、図示例では溝部５について２個形成されているが、溝部５について１個以上形成されればよい。湾曲６の数が多いほど、ケーブル端部Ｂに対するブレーキ力は向上する反面、ケーブル端部Ｂの溝部５へのセット操作，抜き差し操作が面倒化する。
溝部５の湾曲６の許容曲げアールに関しては、例えば、使用対象のケーブルＡの硬度，フレキシブル度，曲げ強度や、信号伝達用のケーブルＡの場合は伝達信号の減衰度、等が考慮され、曲げ過ぎない様に配慮される。
【００１８】
溝部５の溝幅については、次の通り。溝幅は、使用対象のケーブルＡの径寸法を越えた値であればよく、図示によらず、例えば径寸法の１．５倍程度の溝幅に設定される。なお、溝幅が径寸法より広くなる程、ブレーキ力生成までの時間が遅延することになるが、１秒未満程度の問題に過ぎない。
溝部５の溝深さについても、上述した溝幅に準じるが、例えば径寸法の１．５倍〜２倍等、やや深目の溝深さに設定される。
溝部５の長さ距離寸法については、自在に可能であるが、長い程、溝部５へのケーブル端部Ｂの取付け取外しに、時間を要するようになる。（この点において、図１は本発明には属さない参考例である）
溝部５については、以上のとおり。
【００１９】
《図１について》
次に図１を参照して、本発明のストッパー４について、説明する。図１のストッパー４は、機器側のシャーシに取付けられるベースブロック７と、ベースブロック７の外表面側の一対のコーナーブロック８，９とからなり、これらが一体形成されている（この点において、図１は本発明には属さない参考例である）。
そして、ベースブロック７にて溝部５の底壁が形成され、両コーナーブロック８，９にて溝部５のサイド壁が形成される。
これらについて、更に詳述する。まずストッパー４は、金属製，樹脂製，その他の材質よりなり、略平板状をなすベースブロック７の一方面（例えば下面）が、使用対象の例えば機器側のシャーシに対し、固定又は可動に取付けられる。
そして、ベースブロック７の他方面（例えば上面）に、一対のコーナーブロック８，９が一体成形されている（この点において、図１は本発明には属さない参考例である）。一方側のコーナーブロック８と他方側のコーナーブロック９間には、間隙が存しており、この間隙が溝部５となる。
【００２０】
そして、このような図１のストッパー４において、溝部５に挿通されたケーブル端部Ｂに、瞬間的張力が作用すると、次のようになる。
まず、図１の（２）図中に示したように、矢示方向にケーブル端部Ｂが引張られ、その横幅方向に若干移動して、ストッパー４の溝部５の両湾曲６（一方側のコーナーブロック８にて形成された湾曲６と、他方側のコーナーブロック９にて形成された湾曲６）に、接触する。
そして、ケーブル端部Ｂが、両湾曲６に対しそれぞれ強力に押し付けられ、もってケーブル端部Ｂと両湾曲６間に、それぞれ大きな摩擦力が生じて、瞬間にブレーキ力が生成される。そこでケーブル端部Ｂは、作用した瞬間的張力が抑制されて、ストッパー４に係止ロックされる。
これに対し、ケーブル端部Ｂに瞬間的張力が作用しない常時では、ケーブル端部Ｂは、ストッパー４の溝部５を抜き差し，通過移動可能である。例えば、張力が瞬間的でなく緩やかに作用した場合も、ケーブル端部Ｂは、溝部５内を自在に通過し通り抜けることが可能である。
なお図１の（３）図は、本発明のストッパー４のような湾曲６が形成されていない、参考例１０の溝部１０’を示す。
この参考例１０の溝部１０’は、直線状をなしており、ケーブル端部Ｂに瞬間的張力が作用した場合も、本発明のようにブレーキ力は生成されず、緩やかに張力が作用した場合と同様に、ケーブル端部Ｂが、溝部１０’内を通過し通り抜けてしまうことになる。
図１については、以上のとおり。
【００２１】
《図２について》
次に図２を参照して、本発明のストッパー４について、説明する。図２のストッパー４も、上述した図１と同様に、ベースブロック７と一対のコーナーブロック８，９とを備えているが、ベースブロック７と他方側のコーナーブロック９との関係が、図１とは相違している。
すなわち、図２のストッパー４において、両コーナーブロック８，９は平板状をなしており、一方側のコーナーブロック８は、平板状をなすベースブロック７に固定されており、他方側のコーナーブロック９は、ベースブロック７に軸１１にて取付けられ、もって軸１１を支点として揺動可能となっている。
もって、他方側のコーナーブロック９は、揺動により、一方側のコーナーブロック８に対し、標準位置Ｇと偏在位置Ｈとに変位可能である。標準位置Ｇでは、略均等溝幅の溝部５が形成されるのに対し、偏在位置Ｈでは、広狭不均等溝幅の溝部５が形成されると共に、狭い方でケーブル端部Ｂを挟み込み係止ロック可能となる。
【００２２】
このような図２のストッパー４について、更に詳述する。まず、平板状をなすベースブロック７や一方側のコーナーブロック８については、図１について前述した所に準じる。ベースブロック７と一方側のコーナーブロック８とは、一体成形しても可であり、本明細書では、一体成形も固定の意味する所に包含される。
これに対し、平板状をなす他方側のコーナーブロック９は、ベースブロック７の他方面（一方面は機器側のシャーシに取付けられている）に対し、軸１１にて取付けられ、摺動可能に摺接している。
軸１１の取付位置については、ケーブル端部Ｂの挟み込み係止ロックとの関係から、図示例では溝部５の入口側１２寄りとなっているが、図示例によらず溝部５の出口側１３寄りでも一応可であり、更に、入口側１２と出口側１３との中間位置も可能である。
【００２３】
他方側のコーナーブロック９は、前述したように、一方側のコーナーブロック８と共に、溝部５のサイド壁を形成する。そして、軸１１を支点とした揺動により、ベースブロック７上を摺動し、もって一方側のコーナーブロック８に対し、標準位置Ｇと偏在位置Ｈとに変位可能である。
図２の（１）図，（３）図に示した標準位置Ｇでは、溝部５の溝幅が、入口側１２から出口側１３にかけ略均等化する。これに対し、図２の（２）図，（４）図に示した偏在位置Ｈでは、溝部５の溝幅が、入口側１２から出口側１３にかけて相反し、広狭不均等化する。図示例では、入口側１２が狭くなり、出口側１３が広くなる。
もって、ケーブル端部Ｂが溝部５に挿通されている場合は、狭い方でケーブル端部Ｂを、挟み込み係止ロック可能となる（図２の（４）図を参照）。
【００２４】
このような図２のストッパー４において、溝部５に挿通されたケーブル端部Ｂに、瞬間的張力が作用すると、次のようになる。
まず、ケーブル端部Ｂが引張られて横幅方向に若干移動して、ストッパー４の溝部５の両湾曲６（一方側のコーナーブロック８にて形成された湾曲６と、他方側のコーナーブロック９にて形成された湾曲６）に、接触する。
そして、ケーブル端部Ｂが、両湾曲６に対しそれぞれ強力に押し付けられ、もって、ケーブル端部Ｂと両湾曲６間にそれぞれ大きな摩擦力が生じ、瞬時にブレーキ力が生成される（この点は前述した図１と同様）。
これと共に、他方側のコーナーブロック９の湾曲６に接触したケーブル端部Ｂ、つまり溝部５の出口側１３の湾曲６に接触したケーブル端部Ｂは、コーナーブロック９を押動する。そこで、コーナーブロック９は、軸１１を支点として反時計方向に揺動する。
もって、図２の（４）図に示したように、溝部５の溝幅が広狭不均等化する。すなわち、溝部５の入口側１２においては、揺動により偏在位置Ｈをとった他方側のコーナーブロック９が、一方側のコーナーブロック８に接近し、もって狭くなった入口側１２にて、ケーブル端部Ｂを挟み込む。
【００２５】
このように、図２のストッパー４では、ケーブル端部Ｂに瞬間的張力が作用した場合、湾曲６との接触摩擦によるブレーキ力（前述した図１と同様のブレーキ力）に加え、上述した挟み込みがプラスされることにより、強力なブレーキ力（第１例のブレーキ力より強力なブレーキ力）が、得られる。もって、ケーブル端部Ｂが一段と効果的に、係止ロックされるようになる。
これに対し、ケーブル端部Ｂに瞬間的張力が作用しない常時では、ケーブル端部Ｂは、ストッパー４の溝部５を抜き差し，通過移動可能である。張力が緩やかに作用した場合も同様に、ケーブル端部Ｂは、溝部５内を自在に通り抜け可能である（この点は、前述した図１の場合と同様）。
図２については、以上のとおり。
【００２６】
《図３について》
次に図３を参照して、本発明のストッパー４の実施例について、説明する。この図３のストッパー４では、上述した図２のストッパー４の構成に付加して、標準位置Ｇへの位置決め手段１４が、他方側のコーナーブロック９とベースブロック７間に、軸１１の取付け位置から離れた位置にて、設けられている。
このような実施例の位置決め手段１４について、更に詳述する。図示例の位置決め手段１４は、次の縦穴１５，スプリング１６，球体１７，構造１８，凹部１９等を、備えている。
すなわち、ベースブロック７について他方側のコーナーブロック９との対向面に設けられた縦穴１５と、縦穴１５内に弾発圧縮状態で挿着されたスプリング１６と、スプリング１６の先端に取付けられた球体１７と、他方側のコーナーブロック９についてベースブロック７との対抗面に設けられた横溝１８と、横溝１８に連設された位置決め凹部１９と、から構成されている。
そして、他方側のコーナーブロック９の揺動に伴い、ベースブロック７側の球体１７が、コーナーブロック９側の横溝１８内を、移動可能な関係となっている。もって、図３の（１）図，（２）図に示した位置決め状態と、図３の（３）図，（４）図に示した位置決め解除状態とに、変位可能となっている。
【００２７】
まず、図３の（１）図，（２）図に示した位置決め状態では、ベースブロック７側の球体１７が、コーナーブロック９側の位置決め凹部１９内に、嵌入され緩くロックされる。
これに伴い、コーナーブロック９が、標準位置Ｇにてベースブロック７に対し位置決めされ、この位置決めにより、溝部５の溝幅が、略均等幅に保持される関係となる。
これに対し、図３の（３）図，（４）図に示した位置決め解除状態では、球体１７が、位置決め凹部１９内に嵌入されることなく、横溝１８内をフリーな状態で自在に移動可能となる。
そして、このような位置決め解除状態に伴い、コーナーブロック９が、ベースブロック７に対し軸１１を支点として自由に揺動可能な関係となる。つまりコーナーブロック９は、標準位置Ｇと偏在位置Ｈ間をフリーに揺動可能となる。
【００２８】
位置決め手段１４について、位置決め状態か位置決め解除状態かの設定は、手動操作でコーナーブロック９を移動させることにより、実施される。そして位置決め状態は、セット時つまりケーブル端部Ｂをストッパー４の溝部５に挿通する、取付け操作時に利用される。
すなわちセット時に、もしも溝部５の溝幅が広狭不均等となっていると、つまり他方側のコーナーブロック９が偏在位置Ｈをとると、溝部５へのケーブル端部Ｂの挿通が、スムーズに行われなくなることが予想される。
これに対し、溝部５の溝幅を略均等の位置決め状態としておくと、つまりコーナーブロック９を標準位置Ｇに保持しておくと、セットアップがスムーズ化する。
勿論、セット時以降は位置決め解除状態としておくことにより、ストッパー４が、本来の係止ロック作用を発揮可能となる。
図３については、以上のとおり。
【００２９】
《ループＪ等が存する場合について》
次に、図１の（２）図を参照して、ループＪ等の余剰部分Ｋが存する場合について、説明しておく。
ケーブル端部Ｂは、先端のコネクタＦの手前に、例えばストック用，予備用として、ループＪや束ね等の余剰部分Ｋを備えていることが、多々ある。勿論、前述した図１の（２）図に示した例のみならず、図２の（３）図，（４）図に示した例、その他の例、図３の（１）図，（３）図に示した例のケーブル端部Ｂについても、同様である。
この場合、ストッパー４は、ケーブル端部Ｂに対し余剰部分Ｋの手前にて添設配置される。そして、ケーブル端部Ｂに作用する瞬間的な張力を抑制して、余剰部分Ｋの繰り出しを防止することになる。
すなわち前述したように、ストッパー４の溝部５に挿通されたケーブル端部Ｂに、張力が瞬間的に作用すると、湾曲６との接触摩擦によるブレーキ力が生成されて、ケーブル端部Ｂがストッパー４にて係止ロックされる。
これに伴い、ケーブル端部Ｂに余剰部分Ｋが存していた場合は、その繰り出しが阻止される。余剰部分Ｋが瞬間的張力に基づき、ストッパー４の入口側１２そして出口側１３を経由して、不用意に繰り出されてしまうことは、確実に防止される。
ループＪ等が存する場合については、以上のとおり。
【００３０】
《作用等》
本発明のストッパー４は、以上説明したように構成されている。そこで、以下のようになる。
（１）ストッパー４は、ケーブル端部Ｂについて、先端ＥのコネクタＦの手前に、添設配置される。
すなわちセットに際しては、ケーブル端部Ｂを、ストッパー４の溝部５に挿通する。もって、取付け操作が完了し、ストッパー４が、ケーブル端部Ｂに添設配置される（図１の（２）図，図２の（３）図，図３の（１）図等を参照）。
なお、ケーブル端部Ｂのストッパー４の溝部５への挿通は、通常は、溝部５上からケーブル端部Ｂを押し込むことにより行われる。又、ケーブル端部Ｂが溝部５に挿通された後、溝部５に蓋をするようにしてもよい。
【００３１】
（２）ストッパー４は、ベースブロック７と一対のコーナーブロック８，９とから構成されるが、図２のように、コーナーブロック９が揺動可能である。そこで図３の実施例のように、位置決め手段１４にて、溝部５の溝幅を略均等幅に位置決めしておくと、上述したセットがスムーズ化する。
つまり、コーナーブロック９が標準位置Ｇをとるようにしておくと、ケーブル端部Ｂのストッパー４溝部５への挿通が、容易化する（図３の（１）図，（２）図を参照）。
これに対し、もしもコーナーブロック９が偏在位置Ｈにあり、溝部５の溝幅が広狭不均等となっていると（図３の（３）図，（４）図を参照）、ケーブル端部Ｂのストッパー４溝部５への挿通が、スムーズに行いにくく、セットが容易でなくなる。
【００３２】
（３）さて、ケーブルＡそしてケーブル端部Ｂに、瞬間的張力が作用しない常時については、次のとおり（図１の（２）図，図２の（３）図，図３の（１）図等を参照）。
ケーブル端部Ｂは、挿通されたストッパー４の溝部５内を、抜き差し，通過移動自在である。ケーブル端部Ｂに例え張力が作用しても、それが瞬間的ではなく緩やかに作用した場合についても、同様である。従って、例えばループＪ等の余剰部分Ｋの長さ調整等も、緩やかに引張ることにより可能となる（図１の（２）図を参照）。
又、他方側のコーナーブロック９が標準位置Ｇをとる場合に限らず、偏在位置Ｈをとって溝部５の湾曲６に単に接触する場合も、瞬間的張力が作用しない限り、同様である。単に接触する程度では、摩擦力は発生せず、ブレーキ力も生成されない。
【００３３】
（４）これに対し、ケーブルＡに引張力等の過大な外力が加わり、もってケーブル端部Ｂに、瞬間的張力が作用した場合については、次のとおり（図１の（２）図，図２の（４）図，図３の（３）図等を参照）。
ケーブルＡに不意に衝撃荷重が加わり、もって過大な力で瞬間的に引張られたケーブル端部Ｂは、ストッパー４の溝部５の湾曲６に接触すると共に、その張力に基づき強力に湾曲６に押し付けられる。もって、ケーブル端部Ｂと湾曲６間に大きな摩擦力が生じ、ブレーキ力が瞬時に生成される。
これに加え、前述した図２，図３のように、ケーブル端部Ｂを、ストッパー４の溝部５の入口側１２で挟み込むので、より強力なブレーキ力が生成される。
【００３４】
（５）このようにしてケーブル端部Ｂは、瞬間的に張力が作用した場合は、ストッパー４にて係止ロックされる。
ケーブル端部Ｂは、瞬時に張力が抑制されて係止ロックされるので、各種のケーブルＡ引張事故発生が、未然に防止されるようになる。
【００３５】
（６）なお、ケーブル端部Ｂがその先端Ｅの手前に、ループＪや束ね等の余剰部分Ｋを備えている場合は（図１の（２）図を参照）、その繰り出し事故も回避される。
すなわち、瞬間的張力が作用した場合、上述したようにケーブル端部Ｂは、その余剰部分Ｋの手前で、ストッパー４にて係止ロックされる。もって、ケーブル端部Ｂの余剰部分Ｋが、不必要に繰り出されてしまうことは、回避される。
【００３６】
（７）さて、このように係止ロック作用を発揮するストッパー４は、例えば略Ｓ字状，その他に湾曲６が形成された溝部５を、備えた基本構成よりなる。
そしてストッパー４は、溝部５の底壁を形成するベースブロック７と、溝部５の両サイド壁を形成する一対のコーナーブロック８，９とを、備えた構成よりなる。更には、一方のコーナーブロック８をベースブロック７に固定し、他方のコーナーブロック９をベースブロック７に軸１１にて取付けた構成よりなる。
このようにストッパー４は、構成が簡単である。
【００３７】
（８）又、このストッパー４は、ケーブル端部Ｂの抜き差し，取付け取外しも容易である。
すなわち、ケーブル端部Ｂをストッパー４の溝部５に挿通させるだけで、取付け操作が完了し、取外し操作も、ケーブル端部Ｂを溝部５から挿脱させるだけでよい。その際、ケーブル端部Ｂに対し、必要に応じ張力を緩やかに加えることによっても、これらの操作がサポートされる。
【００３８】
（９）更に、このストッパー４は、このようなケーブルＡのケーブル端部Ｂに止まらず、その他の各種ワイヤＣのワイヤ端部Ｄに対しても、同様に適用可能である。各種のワイヤ端部Ｄも、ケーブル端部Ｂについて以上説明した所に準じ、使用対象となる。
ストッパー４として、使用対象となるワイヤ端部Ｄの径に見合った溝幅と溝深さの溝部５を、湾曲６付で用意するだけで、各種のワイヤ端部Ｄに適用可能である。
本発明の作用等については、以上の通り。
【００３９】
《他の例について》
ここで、本発明のストッパー４について、その他の適用例を、図４を参照して説明しておく。
以上説明した図１〜図３の例では、本発明をケーブルＡのケーブル端部Ｂについて適用したが、勿論、本発明はこれに限定されるものではなく、各種のワイヤＣのワイヤ端部Ｄについて、適用可能である。例えば、次のような適用例が可能である。
【００４０】
まず、図４の（１）図に示した例のストッパー４について、説明する。
この例のワイヤＣは、緊急避難用ロープよりなり、ワイヤ端部Ｄその他の全体が、常時は２階等の上層階の例えばベランダ２０に、束ねられたり巻回配備されている。
そして、そのワイヤ端部Ｄに予めストッパー４が、添設配置されている（ワイヤ端部Ｄが、ストッパー４の溝部５に挿通されている）が、これによらず、ワイヤＣの使用時に添設配置するようにしてもよい。
緊急時には、このようなワイヤＣを、余剰部分Ｋをベランダ２０等に残しつつ、地上との間で吊下げた後、避難者Ｌがこれを伝って地上へと脱出する。その際、ストッパー４は、例えばベランダ２０の手摺等に取付けられている。
さて、避難者Ｌが吊下げられたワイヤＣに捉まって吊下がると、その体重にてワイヤＣに荷重がかかり、ワイヤ端部Ｄに瞬間的張力が作用する。すると前述に準じ、接触摩擦により瞬間にブレーキ力が生成され、ワイヤ端部Ｄがストッパー４に係止ロックされる。
従って、ワイヤ端部Ｄのベランダ２０等に残った先端Ｅ側の余剰部分Ｋが、ワイヤＣに捉まった避難者Ｌの体重に起因して、繰り出されてしまうことは阻止され、ワイヤＣのずり下がりは発生しない。
もって、脱出途中の避難者Ｌが、墜落の危険にさらされる事故は、防止される。避難者Ｌは、ベランダ２０の手摺等に取付けられたストッパー４を支点とし、上下不動のワイヤＣに捉まり、ワイヤＣを伝って安全に地上へと、降下，脱出することができる。
【００４１】
次に、図４の（２）図に示した例のストッパー４について、説明する。
この例のワイヤＣは、洗濯物Ｍを吊下げて乾かすためのロープよりなり、ポール２１間に張架される。ワイヤＣの先端Ｅ側のワイヤ端部Ｄは、余剰部分Ｋとなって地面等に束ねられている。
さて、このようなワイヤ端部Ｄに、ストッパー４を添設配置する（ワイヤ端部Ｄを、ストッパー４の溝部５に挿通する）と共に、ストッパー４を例えばポール２１上部に取付ける。
そして、水分を含み重量が嵩む洗濯物Ｍが、このワイヤＣに吊下げて干されると、その重みでワイヤＣに吊下げ荷重がかかり、ワイヤ端部Ｄに瞬間的張力が作用するが、前述に準じ、ワイヤ端部Ｄがストッパー４にて係止ロックされる。
従って、ワイヤ端部Ｄの残った先端Ｅ側の余剰部分Ｋが、繰り出されてしまうことは防止される。水分を含み重量が嵩む干したての洗濯物Ｍの荷重により、ワイヤＣの余剰部分Ｋが繰り出されてしまうことはなく、張架されたワイヤＣが洗濯物Ｍと共に、地上等へと垂れ下がり落下するような事故は、回避される。
洗濯物Ｍは、所期の通り、テンションがかかった状態で張架されたワイヤＣに、吊下げられて干される。
他の例については、以上のとおり。
【符号の説明】
【００４２】
１  ケーブルクランプ
２  結束バンド
３  取付部材
４  ストッパー（ワイヤストッパー）
５  溝部
６  湾曲
７  ベースブロック
８  一方側のコーナーブロック
９  他方側のコーナーブロック
１０  参考例
１０’溝部
１１  軸
１２  入口側
１３  出口側
１４  位置決め手段
１５  縦穴
１６  スプリング
１７  球体
１８  横溝
１９  位置決め凹部
２０  ベランダ
２１  ポール
Ａ  ケーブル
Ｂ  ケーブル端部
Ｃ  ワイヤ
Ｄ  ワイヤ端部
Ｅ  先端
Ｆ  コネクタ
Ｇ  標準位置
Ｈ  偏在位置
Ｊ  ループ
Ｋ  余剰部分
Ｌ  避難者
Ｍ  洗濯物
【図１】
0005917246.tif 000002
【図２】
0005917246.tif 000003
【図３】
0005917246.tif 000004
【図４】
0005917246.tif 000005
【図５】
0005917246.tif 000006